【手続補正書】
【提出日】平成24年11月22日(2012.11.22)
【手続補正１】
【補正対象書類名】明細書
【補正対象項目名】００１３
【補正方法】変更
【補正の内容】
【００１３】
図２は、装置２００の軸方向加速度、半径方向加速度及び接線方向加速度を検出する三軸加速度計１００の第１の組をなす３つの考えられる配置状態の概略図である。図２に示されているように、軸方向加速度は、装置２００の回転シャフト２０２に平行に延びる軸線Ａに沿って検出可能であり、半径方向加速度は、軸線Ａに対して半径方向に延びる軸線Ｒに沿って検出可能であり、接線方向加速度は、軸線Ａ，Ｒに対して垂直に延びる軸線Ｔに沿って検出可能である。かくして、図２に示すように、接線方向軸線Ｔはまた、軸方向フランク面２０６に（接線でなく）直交する。図２に示されている本発明の実施形態では、装置２００は、電気モータ、シャフトを中心として回転する質量を同様に含む別の装置又は運動中の質量を含む任意の装置であるのが良い。
【手続補正２】
【補正対象書類名】明細書
【補正対象項目名】００２３
【補正方法】変更
【補正の内容】
【００２３】
さらに図５Ａを参照すると、９番目のペア５００ｉ及び１０番目の５００ｊは、ケース１１０の側面１１６上の場所に配置されている。９番目のペア５００ｉは、ＴＡＲと第２の図４０４の組み合わせであり、即ち、第１の指標３００ｉは、シーケンスＴＡＲであり、第２の指標４００ｉは、第２の図４０４である。同様に、１０番目のペア５００ｊは、ＡＴＲと第１の図４０２の組み合わせであり、即ち、第１の指標３００ｊは、シーケンスＡＴＲであり、第２の指標４００ｊは、第１の図４０２である。図４及び図５Ａ〜図５Ｃに示されている本発明の実施形態によれば、全部で１６個のペアリング５００がケース１１０上に配置されている。ペアリング５００のうちの８つは、第２の表面１１４上に配置され、８つのペアリングが側面１１６上に配置されている。分かり易くするために、第１〜第８までのペア５００ａ〜５００ｈは、第２の表面１１４上に配置するものとして説明され、９番目から１６番目までのペア５００ｉ〜５００ｐ（特に、これらのうち全てが図示されているわけではない）が側面１１６上に配置されているものとして説明されている。しかしながら、異なる番号付けの慣例を用いてペアリング５００がケース１１０上に配置されている場所の順序を表示することができる。本発明の別の実施形態によれば、最初の３つのペア５００ａ〜５００ｃが第２の表面１１４上の場所に配置され、第４のペア５００ｄが側面１１６上の場所に配置され、残りの１２個のうちの任意の５つのペア５００ｅ〜５００ｐが第２の表面１１４上の場所に配置され、ペア５００ｅ〜５００ｐの残りの７つが側面１１６上の場所に配置されるのが良い。
【手続補正３】
【補正対象書類名】明細書
【補正対象項目名】００２５
【補正方法】変更
【補正の内容】
【００２５】
図５Ａ〜図５Ｃを参照すると、以下は、本発明の実施形態に従って三軸加速度計１００の配向状態を識別する方法の説明である。本発明の実施形態によれば、三軸加速度計１００の配向状態を装置２００に対して正確に識別することにより、装置２００の軸方向軸線Ａ、半径方向軸線Ｒ及び接線方向軸線Ｔに沿う加速度ベクトルの測定が可能である。三軸加速度計１００を装置２００上に取り付けて配置する。三軸加速度計１００の配置は、装置２００の軸方向端面２０４上に又は装置２００の軸方向フランク面２０６上に位置した状態であるのが良い。装置２００の回転シャフト２０２が水平に延びる本発明の実施形態によれば、装置２００の軸方向フランク面２０６上の配置は、装置２００の頂部上か装置２００の側部上かのいずれかに位置した状態であって良い。本発明の実施形態によれば、三軸加速度計１００のケース１１０は、第２の表面１１４及び側面１１６上のような複数の場所に配置されたラベルを含む。各ラベルは、例えば第１の標識３００のうちの１つ及び第２の標識４００のうちの１つを含む少なくとも１つのペア５００を含む。かくして、ラベルは、三軸加速度計の直交軸線を装置２００の軸方向軸線Ａ、半径方向軸線Ｒ及び接線方向軸線Ｔ（例えば、第１の標識３００）に対応付けするよう第１の識別子Ａ、第２の識別子Ｒ及び第３の識別子Ｔを用いると共に装置に対する三軸加速度計の取付け配置状態を表す図を用いたペアリングを含む。本発明の実施形態によれば、装置２００の軸方向軸線Ａ、半径方向軸線Ｒ及び接線方向軸線Ｔは、視線Ｓに沿って三軸加速度計１００を視認する行為及び少なくとも１つのペア５００を観察する行為を含む要因の組み合わせに基づいて識別される。装置２００の軸方向軸線Ａ、半径方向軸線Ｒ及び接線方向軸線Ｔを正確に識別するペア５００は、直立の姿勢を有する第１の指標を含むと共に装置２００上における三軸加速度計１００の配置状態にマッチした第２の指標を含み、これらは各々、視線Ｓに沿って視認される。
【手続補正４】
【補正対象書類名】明細書
【補正対象項目名】００２７
【補正方法】変更
【補正の内容】
【００２７】
図７Ａ及び図７Ｂは、装置及び本発明の別の実施形態としての三軸加速度計１００の３つの配置状態の概略図である。図７Ａ及び図７Ｂは、図２及び図３に類似していて、装置２００の軸方向加速度、半径方向加速度及び接線方向加速度を検出する三軸加速度計１００の第３の組をなす３つの考えられる配置状態の概略図である。図７Ａに示されているように、第１の配置状態Ｐ１（３）は、全体として、図２の第１の配置状態Ｐ１（１）に類似している。かくして、第１の配置状態Ｐ１（３）では、第１の直交軸線Ｉは、半径方向軸線Ｒと対応付け関係をなし、第２の直交軸線ＩＩは、接線方向軸線Ｔと対応付け関係をなし、第３の直交軸線ＩＩＩは、軸方向軸線Ａと対応付け関係をなしている。即ち、直交軸線Ｉ〜ＩＩＩは、それぞれ方向軸線ＲＴＡと対応づけ関係をなしている。しかしながら、図７Ｂに示されているように、三軸加速度計１００の直交軸線は、装置２００の方向軸線に対して異なる配向状態に差し向けられ、かかる差し向けは、例えば三軸加速度計１００を装置２００に取り付けて配置する前に三軸加速度計１００を図２に示す配向状態に対して１８０°回したときに生じる。かくして、図７Ｂに示されている本発明の実施形態では、第２の配置状態Ｐ２（３）では、第１の直交軸線Ｉは、接線方向軸線Ｔと対応付け関係をなし、第２の直交軸線ＩＩは、軸方向軸線Ａと対応付け関係をなし、第３の直交軸線ＩＩＩは、半径方向軸線Ｒと対応付け関係をなしている。したがって、直交軸線Ｉ〜ＩＩＩは、第２の配置状態Ｐ２（３）についてそれぞれ方向軸線ＴＡＲと対応付け関係をなしている。第３の配置状態Ｐ３（３）では、第１の直交軸線Ｉは、半径方向軸線Ｒと対応付け関係をなし、第２の直交軸線ＩＩは、軸方向軸線Ａと対応付け関係をなし、第３の直交軸線ＩＩＩは、接線方向軸線Ｔと対応付け関係をなしている。したがって、直交軸線Ｉ〜ＩＩＩは、装置２００に対して三軸加速度計１００の第３の配置状態Ｐ３（３）についてそれぞれ方向軸線ＲＡＴと対応付け関係をなしている。
【手続補正５】
【補正対象書類名】図面
【補正対象項目名】図５Ａ
【補正方法】変更
【補正の内容】
【図５Ａ】
2012510074.tif 000001
【手続補正６】
【補正対象書類名】図面
【補正対象項目名】図５Ｂ
【補正方法】変更
【補正の内容】
【図５Ｂ】
2012510074.tif 000002
【手続補正７】
【補正対象書類名】図面
【補正対象項目名】図５Ｃ
【補正方法】変更
【補正の内容】
【図５Ｃ】
2012510074.tif 000003
【手続補正８】
【補正対象書類名】図面
【補正対象項目名】図６Ａ
【補正方法】変更
【補正の内容】
【図６Ａ】
2012510074.tif 000004
【手続補正９】
【補正対象書類名】図面
【補正対象項目名】図６Ｂ
【補正方法】変更
【補正の内容】
【図６Ｂ】
2012510074.tif 000005
【手続補正１０】
【補正対象書類名】図面
【補正対象項目名】図７Ｂ
【補正方法】変更
【補正の内容】
【図７Ｂ】
2012510074.tif 000006